(57)【特許請求の範囲】
【請求項１】
電気二重層キャパシタあるいはリチウムイオンキャパシタからなり、かつ直列接続された複数の蓄電セルを有する蓄電モジュールに設けられる蓄電モジュールの過電圧検出装置であって、
前記複数の蓄電セルのそれぞれに並列接続され、かつ外部電源から電力を受け、前記複数の蓄電セルのそれぞれの端子間電圧を監視し、その端子間電圧が所定の基準電圧以内である場合に、前記蓄電セルが正常であることを示すためのオン信号を出力し、前記蓄電セルの端子間電圧が前記基準電圧を超過した場合に、オフ信号を出力する複数の過電圧検出部と、
前記外部電源からの交流電圧を整流して、整流後の電圧を前記複数の過電圧検出部のそれぞれに加える複数の動作電圧生成部と
を備え、
前記蓄電セルは、Ｎ極とＰ極とを有し、
前記外部電源には、前記交流電圧を発生する交流電圧源が設けられ、
前記動作電圧生成部は、
前記複数の蓄電セルのうちの１つの蓄電セルのＮ極と前記交流電圧源との接続点を基準として、各蓄電セルの電位差分を前記交流電圧に順次加えてレベルシフトするレベルシフト部と、
レベルシフトされた交流電圧を整流する整流部と、
整流された交流電圧を平滑化する平滑部と
を有する蓄電モジュールの過電圧検出装置。
【請求項２】
前記動作電圧生成部は、
前記交流電圧源に直列接続され、前記レベルシフト部をなす第１のコンデンサと、
前記第１のコンデンサに直列接続された抵抗、あるいは前記第１のコンデンサに直列接続されかつ互いに直列接続された抵抗及びインダクタからなる直列接続体と、
Ｎ極とＰ極とを有し、前記平滑部をなす第２のコンデンサと、
アノード端子が前記直列接続体の２つの端子のうち前記第１のコンデンサの反対側の端子に接続され、かつカソード端子が前記第２のコンデンサのＰ極に接続され、前記整流部をなす第１のダイオードと、
カソード端子が前記第１のダイオードのアノード端子に接続され、かつアノード端子が前記複数の蓄電セルのうちの１つの蓄電セルのＮ極と前記第２のコンデンサのＮ極とに接続され、レベルシフト量を決定する第２のダイオードと
を有する請求項１記載の蓄電モジュールの過電圧検出装置。
【請求項３】
前記動作電圧生成部は、
前記交流電圧源に直列接続され、前記レベルシフト部をなす第１のコンデンサと、
前記第１のコンデンサに直列接続された抵抗、あるいは前記第１のコンデンサに直列接続されかつ互いに直列接続された抵抗及びインダクタからなる直列接続体と、
Ｎ極とＰ極とを有し、前記平滑部をなす第２のコンデンサと、
カソード端子が前記直列接続体の２つの端子のうち前記第１のコンデンサの反対側の端子に接続され、かつアノード端子が前記第２のコンデンサのＮ極に接続され、前記整流部をなす第１のダイオードと、
アノード端子が前記第１のダイオードのカソード端子に接続され、かつカソード端子が前記複数の蓄電セルのうちの１つの蓄電セルのＰ極と前記第２のコンデンサのＰ極とに接続され、レベルシフト量を決定する第２のダイオードと
を有する請求項１記載の蓄電モジュールの過電圧検出装置。
【発明の詳細な説明】
【技術分野】
【０００１】
この発明は、電気二重層キャパシタやリチウムイオンキャパシタからなる複数の蓄電セルを有する蓄電モジュールに設けられる蓄電モジュールの過電圧検出装置に関する。
【背景技術】
【０００２】
一般的に、蓄電モジュールとしての電気二重層キャパシタモジュールは、複数の蓄電セル（キャパシタセル）を直列接続して、所望のエネルギ量を得るとともに、接続回路で利用しやすい電圧を実現している。なお、このように複数の蓄電セルを直列接続するのは、単一の蓄電セルの許容電圧が約３Ｖと低いためである。【０００３】
蓄電セルを直列接続した場合、各蓄電セルの漏れ電流がアンバランスとなったり、静電容量がばらついた状態でモジュールを充放電した場合に各蓄電セルの端子間電圧がアンバランスとなったりすることによって、単一の蓄電セルにおける許容電圧を超える可能性がある。このように、単一の蓄電セルに加わる電圧が許容電圧を超えた場合には、比較的短時間で性能が劣化し、その蓄電セルが異常に至る場合もある。このため、各蓄電セルに過大な電圧が印加されることを避ける必要がある。【０００４】
これに対して、従来装置では、異常検出回路がキャパシタユニット（複数の蓄電セルの並列接続体）に並列に接続され、その異常検出回路がキャパシタユニットの端子間電圧が基準電圧以上に達したことを検出可能となっている（例えば、特許文献１参照）。具体的に、いずれかの蓄電セルに過電圧が加わった場合に、異常検出回路のフォトカプラが導通状態となり、異常検出回路の後段の制御部にキャパシタユニットの異常が報知される。
【先行技術文献】
【特許文献】
【０００５】
【特許文献１】特開２００９−２４４１７１号公報
【発明の概要】
【発明が解決しようとする課題】
【０００６】
上記のような従来装置では、異常時導通型の構成を採用しているため、例えばフォトカプラ以降の配線に、断線やコネクタ抜け等の配線上の不具合が生じた場合には、その配線上の不具合を検出することができなかった。また、このような場合に、蓄電セルに過電圧が加わったときには、その過電圧の発生を制御部に報知することができなかった。【０００７】
これに加えて、従来装置では、異常検出回路の各素子は、キャパシタモジュールの異常発生時に初めて動作することになるため、異常検出回路の素子自体に異常が生じても、その異常に気付きにくいという問題があった。従って、上記のような従来装置では、信頼性が十分ではなく、例えばエレベータや電気自動車等に適用するために、信頼性をより向上させることが望まれていた。【０００８】
ここで、従来装置では、蓄電セルの正常時に積極的に信号を生成するような構成（正常時導通型・異常時非導通型の構成）を採用する場合には、異常検出回路が蓄電セルから電力を受けて動作するため、蓄電セルの端子間電圧が異常検出回路の最低動作電圧（フォトカプラのみでも１．１Ｖが必要）を下回った場合には、異常検出が不可能となる。このように、従来装置では、蓄電セルの端子間電圧が低い場合にも動作する回路を実現することが困難であった。【０００９】
この発明は、上記のような課題を解決するためになされたものであり、信頼性をより向上させることができるとともに、蓄電セルの端子間電圧によらずに安定して蓄電セルの過電圧を検出することができる蓄電モジュールの過電圧検出装置を得ることを目的とする。
【課題を解決するための手段】
【００１０】
この発明による蓄電モジュールの過電圧検出装置は、電気二重層キャパシタあるいはリチウムイオンキャパシタからなり、かつ直列接続された複数の蓄電セルを有する蓄電モジュールに設けられるものであって、前記複数の蓄電セルのそれぞれに並列接続され、かつ外部電源から電力を受け、前記複数の蓄電セルのそれぞれの端子間電圧を監視し、その端子間電圧が所定の基準電圧以内である場合に、前記蓄電セルが正常であることを示すためのオン信号を出力し、前記蓄電セルの端子間電圧が前記基準電圧を超過した場合に、オフ信号を出力する複数の過電圧検出部と、前記外部電源からの交流電圧を整流して、整流後の電圧を前記複数の過電圧検出部のそれぞれに加える複数の動作電圧生成部とを備え、前記蓄電セルは、Ｎ極とＰ極とを有し、前記外部電源には、前記交流電圧を発生する交流電圧源が設けられ、前記動作電圧生成部は、前記複数の蓄電セルのうちの１つの蓄電セルのＮ極と前記交流電圧源との接続点を基準として、各蓄電セルの電位差分を前記交流電圧に順次加えてレベルシフトするレベルシフト部と、レベルシフトされた交流電圧を整流する整流部と、整流された交流電圧を平滑化する平滑部とを有するものである。
【図面の簡単な説明】
【００１１】
【図１】この発明の実施の形態１による蓄電モジュールを示す回路図である。
【図２】図１の動作電圧生成部での電流の流れを説明するための回路図である。
【図３】図１の動作電圧生成部の動作を説明するための波形図である。
【発明を実施するための形態】
【００１２】
以下、この発明を実施するための形態について図面を参照して説明する。
実施の形態１．
図１は、この発明の実施の形態１による蓄電モジュールを示す回路図である。
図１において、蓄電モジュール１は、複数の蓄電セルＣ２Ａ〜Ｃ２Ｎと、交流電圧源としての矩形波発振部３と、複数の動作電圧生成部４Ａ〜４Ｎと、複数の過電圧検出部（異常検出部）５Ａ〜５Ｎとを有している。
【００１３】
ここで、本明細書において、複数の蓄電セルＣ２Ａ〜Ｃ２Ｎ、複数の動作電圧生成部４Ａ〜４Ｎ、及び複数の過電圧検出部５Ａ〜５Ｎの符号Ａ〜Ｎは、接続系統を表す。また、符号Ｎは、任意の整数である。さらに、本明細書において、複数の蓄電セルＣ２Ａ〜Ｃ２Ｎ、複数の動作電圧生成部４Ａ〜４Ｎ、及び複数の過電圧検出部５Ａ〜５Ｎのうち、接続系統を特定しないものについては、それぞれ蓄電セルＣ２、動作電圧生成部４及び過電圧検出部５とも言う。
【００１４】
蓄電セルＣ２は、電気二重層キャパシタあるいはリチウムイオンキャパシタである。また、複数の蓄電セルＣ２Ａ〜Ｃ２Ｎは、それぞれ直列に接続されて、全体として蓄電部２を構成している。蓄電部２には、充放電部（充放電回路）が接続されている。蓄電部２は、充放電部から受けた電力を充電し、あるいは充電した電力を充放電部に放電する。また、充電時において、蓄電部２における複数の蓄電セルＣ２Ａ〜Ｃ２Ｎのそれぞれには、充放電部からの電圧がほぼ均等に分圧されて加えられる。
【００１５】
矩形波発振部３は、蓄電モジュール１の外部の電源基板に設けられた外部電源１００にコネクタ及びケーブルを介して接続されている。また、矩形波発振部３は、最終段に配置された蓄電セルＣ２Ｎに接続されている。さらに、矩形波発振部３は、外部電源１００から電力を受けて、交流電圧としての矩形波電圧（パルス波）を発振する。この矩形波電圧の振幅は、例えば５Ｖである。複数の動作電圧生成部４Ａ〜４Ｎは、複数の蓄電セルＣ２Ａ〜Ｃ２Ｎのそれぞれに並列に接続されている。
【００１６】
また、動作電圧生成部４は、矩形波発振部３から矩形波電圧を受ける。さらに、動作電圧生成部４は、矩形波発振部３から矩形波電圧を整流して、整流後の電圧を動作電圧として過電圧検出部５に加える。
【００１７】
さらに、動作電圧生成部４Ｎ以外の動作電圧生成部４は、レベルシフト用の第１のコンデンサＣｘ（図１におけるＣｘＡ，ＣｘＢ）と、抵抗Ｒと、整流用の第１のダイオードＤ１と、レベルシフト量設定用の第２のダイオードＤ２と、平滑用の第２のコンデンサＣｙ（図１におけるＣｙＡ，ＣｙＢ）とをそれぞれ有している。なお、第１のコンデンサＣｘはレベルシフト部をなし、第１のダイオードＤ１は整流部をなし、第２のコンデンサＣｙは平滑部をなしている。
【００１８】
第１のコンデンサＣｘのＮ極は、矩形波発振部３に直列に接続されている。抵抗Ｒの一端は、第１のコンデンサＣｘのＰ極に接続されている。第１のコンデンサＣｘ及び抵抗Ｒは、直列接続体を構成している。第１のダイオードＤ１のアノード端子は、抵抗Ｒの他端に接続されている。第１のダイオードＤ１のカソード端子は、第２のコンデンサＣｙのＰ極に接続されている。
【００１９】
第２のダイオードＤ２のカソードは、第１のダイオードＤ１のアノードに接続されている。第２のダイオードＤ２のアノードは、蓄電セルＣ２のＮ極、及び第２のコンデンサＣｙのＮ極に接続されている。第２のコンデンサＣｙの両端は、過電圧検出部５の電源入力に接続されている。
【００２０】
動作電圧生成部４Ｎは、抵抗Ｒ、整流用のダイオードＤ１、及び平滑用のコンデンサＣｙＮを有しており、コンデンサＣｘ及びダイオードＤ２については省略されている。即ち、動作電圧生成部４Ｎは、動作電圧生成部４Ａ，４Ｂに比べて簡素化されている。このように動作電圧生成部４ＮでコンデンサＣｘ及びダイオードＤ２が省略されているのは、動作電圧生成部４Ｎでは、レベルシフトが不要だからである。
【００２１】
なお、動作電圧生成部４Ｎにおいて、動作電圧生成部４Ａ，４Ｂと同様に、コンデンサＣｘ及びダイオードＤ２を省略せずに用いてもよい。この場合には、動作電圧生成部４Ｎの回路基板の配線パターンを、動作電圧生成部４Ｎ以外の他の動作電圧生成部４と同一の配線パターンとすることができ、製造の簡略化を図ることができる。
【００２２】
次に、動作電圧生成部４の動作について説明する。図２は、図１の動作電圧生成部４での電流の流れを説明するための回路図である。図３は、図１の動作電圧生成部４の動作を説明するための波形図である。なお、図３の括弧内のＡ１，Ｂ１，Ａ２，Ｂ２は、それぞれ図２の電流の向きを示す矢線Ａ１，Ｂ１，Ａ２，Ｂ２に対応している。
【００２３】
図３に示すように、第１のコンデンサＣｘＡの電流は、矩形波の立ち上がり・立ち下がりの両方に応じて変化する。第２のコンデンサＣｙＡの電流は、第１のダイオードＤ１によって矩形波が整流されることから、矩形波の立ち上がりのみに応じて変化する。この第１のコンデンサＣｙＡによって、矩形波が平滑化されて、直流５Ｖが動作電圧として過電圧検出部５に加えられる。この第１のコンデンサＣｙＢの動作は、第１のコンデンサＣｙＡと同様である。第１のコンデンサＣｘＡ，ＣｘＢのそれぞれは、矩形波の立ち上がり・立ち下がりに応じて充放電されるため、第１のコンデンサＣｘＡ，ＣｘＢの端子間電圧は、小幅に変化する。
【００２４】
ここで、矩形波がＬレベル（０Ｖ）の場合には、第１のコンデンサＣｘＡのＰ極の電位は、蓄電セルＣ２ＡのＮ極の電位（蓄電セルＣ２ＢのＰ極の電位）に相当する電位に充電される。他方、矩形波がＨレベル（５Ｖ）の場合には、第１のコンデンサＣｘＡのＰ極の電位は、蓄電セルＣ２ＡのＮ極の電位に矩形波電圧の振幅が加算された電位である。これに対して、矩形波がＬレベルの場合には、第１のコンデンサＣｘＡのＮ極の電位は、矩形波電圧のＬレベルに相当する電位であり、矩形波がＨレベルの場合には、矩形波電圧のＨレベルに相当する電位である。
【００２５】
これと同様に、矩形波がＬレベルの場合には、第１のコンデンサＣｘＢのＰ極の電位は、蓄電セルＣ２ＢのＮ極の電位（蓄電セルＣ２Ｂの下段に位置する蓄電セルＣ２ＣのＰ極の電位）に相当する電位に充電される。矩形波がＨレベルの場合には、第１のコンデンサＣｘＢのＰ極の電位は、蓄電セルＣ２ＢのＮ極の電位に矩形波電圧の振幅が加算された電位である。これに対して、矩形波がＬレベルの場合には、第１のコンデンサＣｘＢのＮ極の電位は、矩形波電圧のＬレベルに相当する電位であり、矩形波がＨレベルの場合には、矩形波電圧のＨレベルに相当する電位である。
【００２６】
従って、第１のコンデンサＣｘＡは、最終段に配置された蓄電セルＣ２ＮのＮ極と矩形波発振部３との接続点を基準として、蓄電セルＣ２ＡのＮ極と蓄電セルＣ２ＮのＮ極との電位差分を矩形波電圧に順次加えてレベルシフトする。即ち、第１のコンデンサＣｘＡは、蓄電セルＣ２Ａ側の電路の高電圧領域と、矩形波発振部３側の電路とを分離する。これと同様に、第１のコンデンサＣｘＢは、蓄電セルＣ２ＮのＮ極と矩形波発振部３との接続点を基準として、蓄電セルＣ２ＢのＮ極と蓄電セルＣ２ＮのＮ極との電位差分を矩形波電圧に順次加えてレベルシフトする。
【００２７】
このように、第１のコンデンサＣｘは、複数の蓄電セルＣ２Ａ〜Ｃ２Ｎのうち最下段に配置された蓄電セルＣ２ＮのＮ極と矩形波発振部３との接続点を基準として、第１のコンデンサＣｘと同一の接続系統に配置された蓄電セルＣ２のＮ極と蓄電セルＣ２ＮのＮ極との電位差分を矩形波電圧に加えてレベルシフトする。
【００２８】
次に、過電圧検出部５の構成及び動作について説明する。過電圧検出部５は、比較器６、第１のトランジスタＴＲ１、第２のトランジスタＴＲ２、及び分圧用の複数の抵抗を有している。ここで、複数の過電圧検出部５Ａ〜５Ｎのうち、最終段に配置された過電圧検出部５Ｎは、フォトカプラ７を有している。
【００２９】
フォトカプラ７のＬＥＤは、抵抗を介して、過電圧検出部５Ｎにおける第１のトランジスタＴＲ１のコレクタに接続されている。フォトカプラ７のフォトトランジスタは、コネクタ及びケーブルを介して、蓄電モジュール１の外部の制御基板の電源ＶＣＣ及び制御部に電気的に接続されている。
【００３０】
過電圧検出部５の比較器６及び第１のトランジスタＴＲ１には、動作電圧生成部４のコンデンサＣｙの端子電圧（例えば直流５Ｖ）が動作電圧として加えられる。比較器６は、電圧比較手段（コンパレータ）、基準電圧生成手段（例えばダイオード）及びＦＥＴによって構成されている。また、比較器６は、蓄電セルＣ２の端子間電圧を監視し、３Ｖ程度の所定の基準電圧と比較する。
【００３１】
比較器６は、蓄電セルＣ２の端子間電圧が基準電圧以内である場合には、ＦＥＴをＯＦＦ状態にしている。これにより、ＴＲ１，ＴＲ２は、動作電圧生成部４からの電流によって、いずれもＯＮ状態を維持する。複数の過電圧検出部５Ａ〜５Ｎのいずれも、蓄電セルＣ２の過電圧を検出しなければ、フォトカプラ７のＬＥＤのアノードに電流が流れて、そのＬＥＤが発光する。これに伴って、フォトカプラ７のフォトトランジスタがＯＮ状態となる。この結果、制御部には、フォトカプラ７のフォトトランジスタから、全ての蓄電セルＣ２が正常であることを示すＯＮ信号が送られる。
【００３２】
他方、いずれかの蓄電セルＣ２の端子間電圧が基準電圧を超過した場合には、その蓄電セルＣ２に接続された過電圧検出部５の比較器６は、ＦＥＴをＯＦＦ状態からＯＮ状態に切り換える。これによって、ＴＲ２のベースに流れる電流がＦＥＴへバイパスされ、ＴＲ２がＯＦＦ状態となり、ＴＲ１もＯＦＦ状態となる。そして、その下段の過電圧検出部５におけるＴＲ２のベース電流が遮断されて、そのＴＲ２もＯＦＦ状態となり、そのＴＲ２に接続されたＴＲ１もＯＦＦ状態となる。
【００３３】
そして、最下段の過電圧検出部５ＮのＴＲ１も最終的にはＯＦＦ状態となることから、フォトカプラ７のＬＥＤへの電流が流れなくなり、そのＬＥＤの発光が停止する。これに伴い、フォトカプラ７のフォトトランジスタがＯＦＦ状態となって、フォトカプラ７のフォトトランジスタからのＯＮ信号の出力が停止する。即ち、フォトカプラ７のフォトトランジスタからＯＦＦ信号が出力される。
【００３４】
このように、過電圧検出部５は、フォトカプラ７の導通状態を正常時導通型・異常時非導通型とした構成によって、蓄電セルＣ２の過電圧を検出可能となっている。なお、制御部は、フォトカプラ７のフォトトランジスタからのＯＮ信号が途切れたこと、即ちフォトトランジスタからＯＦＦ信号が出力されたことに応じて、いずれかの蓄電セルＣ２に過電圧が加わったと判断し、充放電部に指令を送ることによって、蓄電部２の充放電を停止させる。
【００３５】
上記のような実施の形態１によれば、過電圧検出部５が蓄電セルＣ２の端子間電圧を監視し、その端子間電圧が基準電圧以内である場合に、蓄電セルＣ２が正常であることを示すためのＯＮ信号を出力し、蓄電セルＣ２の端子間電圧が基準電圧を超過した場合に、ＯＦＦ信号を出力する。この構成により、蓄電モジュール１の配線に断線やコネクタ抜け等の配線上の不具合が生じた場合や、過電圧検出部５における素子に不具合が生じた場合に、過電圧検出部５からＯＦＦ信号が出力されたことに応じて、これらの不具合を制御部側で検出可能となり、信頼性をより向上させることができる。これに加えて、過電圧検出部５が外部電源１００からの電力によって動作するため、蓄電セルＣ２の端子間電圧によらずに安定して蓄電セルＣ２の過電圧を検出することができる。
【００３６】
また、第１のコンデンサＣｘは、蓄電セルＣ２ＮのＮ極と矩形波発振部３との接続点を基準として、第１のコンデンサＣｘと同一の接続系統の蓄電セルＣ２のＮ極と蓄電セルＣ２ＮのＮ極との電位差分を矩形波電圧に順次加えてレベルシフトする。この構成により、蓄電セルＣ２の端子間電圧の影響を受けずに、過電圧検出部５に安定して電力を供給することができる。
【００３７】
ここで、蓄電モジュール１の用途によっては、１００Ｖ以上の高電圧領域と、５Ｖ程度の低電圧領域とがモジュール内に存在することになり、部品配置や回路基板のパターン設計等の制約が生じる。これに対して、実施の形態１では、第１のコンデンサＣｘによって、直流電圧成分を中心とする高電圧領域と、矩形波の交流電圧成分を中心とする低電圧領域とが分離される。この構成により、高電圧領域に対応する電気部品を、集中してモジュール内に配置することができ、回路設計を容易にすることができ、また回路を小型化することができる。これは、蓄電セルＣ２を多数（例えば５０個以上）用いるような構成では、特に有効である。
【００３８】
また、実施の形態１において、矩形波発振部３及び動作電圧生成部４に代えて、スイッチング電源等により、過電圧検出部５に所望の動作電圧を加えることも可能である。しかしながら、蓄電セルＣ２を多数（例えば５０個以上）用いるような構成では、蓄電セルＣ２と同数の巻数を有するスイッチング電源をモジュールに組み込む必要があるため、製品サイズが大きくなるとともに、製造コストが増加することが想定される。これに対して、実施の形態１では、動作電圧生成部４が比較的小型かつ安価な電気部品により構成されているため、製品サイズ及び製造コストを実用的な範囲に抑えることができる。
【００３９】
なお、実施の形態１において、蓄電セルＣ２の数については、蓄電容量や用途に応じて適宜決定することができる。また、実施の形態１において、矩形波発振部３を、蓄電モジュール１の外部（例えば電源基板等）に設けてもよい。
【００４０】
さらに、実施の形態１では、交流電圧源として矩形波発振部３を用いた。しかしながら、この例に限定するものではなく、交流電圧源として正弦波発振部を用いてもよい。つまり、交流電圧として正弦波電圧を用いてもよい。
【００４１】
また、実施の形態１では、第１のコンデンサＣｘに接続された抵抗Ｒが、直列接続体を構成していた。しかしながら、この例に限定するものではなく、抵抗Ｒにインダクタを直列接続して、直列接続体としてもよい。この場合、矩形波の形状をなまらせて、矩形波における立ち上がりエッジのピーク電流を抑えることができる。
【００４２】
さらに、実施の形態１では、最終段の過電圧検出部５にのみフォトカプラ７が設けられていた。しかしながら、この例に限定するものではなく、複数の過電圧検出部５Ａ〜５Ｎのそれぞれにフォトカプラを設けてもよい。あるいは、複数の過電圧検出部５Ａ〜５Ｎを複数のグループに分け、そのグループ内の１つの過電圧検出部５にフォトカプラを設けてもよい。これによって、過電圧が生じた蓄電セルＣ２、あるいは過電圧が生じた蓄電セルＣ２が属するグループを制御部に報知することができる。
【００４３】
また、実施の形態１において、第１のダイオードＤ１のカソード端子を抵抗Ｒ（直列接続体）に接続し、第１のダイオードＤ１のアノード端子を第２のコンデンサＣｙのＮ極に接続し、さらに、第２のダイオードＤ２のアノード端子を第１のダイオードＤ１のカソード端子に接続し、第２のダイオードＤ２のカソード端子を蓄電セルＣ２のＰ極と第２のコンデンサＣ２のＰ極とに接続してもよい。この場合、電源電圧を負電圧とした構成に対応可能となる。
【図１】
0005627695.tif 000002
【図２】
0005627695.tif 000003
【図３】
0005627695.tif 000004